(57)【要約】フレームシーケンスの中の１ビデオフレームを複数のマクロブロックに分割するビデオデータ圧縮の方法であって、１マクロブロックは、イントラ符号化マクロブロックおよびインター符号化マクロブロックの両方を含む、以前に符号化された複数のマクロブロックに隣接している。該方法は、対応するデータビット流を提供するために、該ブロックを符号化する際に完全予測または限定予測のタイプを選択する段階を含み、完全予測は隣接するインター符号化マクロブロックとイントラ符号化マクロブロックの両方を用い、限定予測はイントラ符号化マクロブロックのみ用いる。ビット流からデータを復元するために配設された復号器に対して、ビット流と一緒に選択した予測タイプを示す信号が提供される。予測タイプは、ビット流内にコードワードを提供するなど直接的に信号を送ってもよいし、選択値または符号化変数の値などで間接的に示してもよい。【選択図】図３
2004527981.tif 000002
【特許請求の範囲】
【請求項１】
ビデオフレームをフレームシーケンスに選択的に分割することにより生じた複数のブロック内に含まれる１ブロックについて使用するビデオデータ圧縮の方法であって、該ブロックは、イントラ符号化およびインター符号化を含む、以前に符号化された複数のブロックに隣接しており、
１つ以上の隣接するイントラ符号化ブロックと１つ以上の隣接するインター符号化ブロックの両方に基づく完全予測タイプと、１つ以上の隣接するイントラ符号化ブロックのみに基づく限定予測タイプとを含むセットから、予測タイプを選択する段階と、
該ブロックに相当するビット流を生成するために、該ブロックの符号化に前記選択された予測タイプを使用する段階と、
該ブロックのデータを復元するために配設された復号器に、前記選択された予測タイプを示唆するために、ビット流と共に信号を提供する段階と
を含む方法。
【請求項２】
前記選択された予測タイプを、ビット流内のコードワードにより直接的に示す請求項１に記載の方法。
【請求項３】
前記予測タイプを、マクロブロックのビット流内のコードワードにより直接的に示す請求項１に記載の方法。
【請求項４】
前記ブロックを他の複数のブロックと共にグループ化し、前記選択された予測タイプを該ブロックのグループのビット流内のコードワードにより直接的に示す請求項１に記載の方法。
【請求項５】
前記選択された予測タイプを、該ブロックを含むフレームのビット流内のコードワードにより直接的に示す請求項１に記載の方法。
【請求項６】
前記選択された予測タイプを、前記フレームシーケンスのビット流内のコードワードにより直接的に示す請求項１に記載の方法。
【請求項７】
前記選択された予測タイプを、選択した符号化変数の値により間接的に示す請求項１に記載の方法。
【請求項８】
前記選択された予測タイプを、量子化器の量子化レベルにより間接的に示す請求項１に記載の方法。
【請求項９】
前記予測タイプを輝度および彩度のピクセルレベルに適用する請求項１に記載の方法。
【請求項１０】
前記予測タイプを輝度および彩度の変換係数に適用する請求項１に記載の方法。
【請求項１１】
前記予測はセグメントの境界を越えて行われる請求項１に記載の方法。
【請求項１２】
前記予測は前記ブロックを含むセグメント内でのみ行われる請求項１に記載の方法。
【請求項１３】
前記ブロックは１６Ｘ１６のマクロブロックを含む請求項１に記載の方法。
【請求項１４】
前記選択された予測タイプを、任意の符号化ツールの選択により間接的に示す請求項１に記載の方法。
【請求項１５】
前記選択された予測タイプを、プロファイルおよび/またはレベルの選択により間接的に示す請求項１に記載の方法。
【発明の詳細な説明】
【技術分野】
【０００１】
本特許出願は、本出願人による２００１年５月２４日出願の現在継続中の米国特許仮出願番号６０／２９３４６５号に開示された全てを参照し、その内容をここに取り込み優先権を主張するものである。
【０００２】
ここに開示し権利を主張する本発明は、概ねビデオ信号データを符号化または圧縮する方法に関する。さらに詳細には、本発明は、ビデオデータのイントラ符号化ブロックを、隣接するイントラ符号化ブロックからの予測のみを用いて符号化することができるか、または隣接するイントラ符号化ブロックおよびインター符号化ブロックの両方からの予測を用いて符号化することができる、前述の種類の方法に関する。さらに詳細には、本発明は、用いられる予測の種類またはモードを、伝送エラーに対する耐性の向上、またはデータ圧縮の向上の何れを選択するかによって選ぶことが可能な、前述の種類の方法に関する。
【背景技術】
【０００３】
非圧縮形態のデジタルビデオ信号は、通常、大量のデータを含む。しかし実際の必要情報量は時間的および空間的相関が高いのでかなり低減する。したがって、ビデオ圧縮または符号化は、例えばビデオ信号の保存または伝送のような特定のタスクに実際に必要なデータの量を低減するために用いられる。符号化プロセスにおいて、ビデオフレームの領域を直前のフレームの類似した領域から予測する、いわゆる動き補償予測をすることにより、時間的冗長性を利用できる。すなわち、直前のフレームの対応する部分と全く変わらない、または殆ど変わらないフレームの部分がある場合がある。反対に、前のフレームとの一致があまり見られない場合、空間的冗長性を低減させるためにフレーム内での予測を用いることができる。予測スキームがうまくいくと、予測エラーは少なくなり、符号化される情報量は大幅に減少する。さらに、例えば離散コサイン変換（ＤＣＴ）を用いて、ピクセルを周波数領域に変換することにより、空間的相関性の利得と効率が向上する。
【０００４】
ビデオデータ圧縮の利点にも関わらず、符号化されたビット流、すなわちある場所から他の場所に伝送される圧縮データは、エラーの発生率が高い伝送経路のために欠落することがある。このようなことが起こる場合、予測に過度に依存することは、予測がエラーを助長しビデオの品質を大幅に低下させることもあるので、大きな損失を引き起こす可能性がある。したがって、従来の技術により、特定の時間において時間的予測を阻止することにより、さらに詳細には１領域または全ピクチャの切替（すなわち、前のフレームに関係なく符号化する）を強制的に行うことにより、そのような損失を低減させるという技術が開発されている。多くのフレームに亘って複数の領域の切替をすることにより、符号化の不利益を均等に分散させることができる。その後、エラーが起こった場合、損傷が修復されるにつれて、ビデオシーケンスはフレーム毎にうまく修復できる。
【０００５】
ここで「ピクチャ」および「フレーム」という言葉は、ビデオシーケンスの画像データのフレームについて言及するために交換可能に用いている。
上述より、（圧縮および伝送された後で）復号化されたビデオ信号の全体的な品質は、高い圧縮率とエラー耐性との間のバランスで決まることがわかる。特にエラーのない伝送には、予測を用いて圧縮率を高めることが望まれている。しかしまた、エラーの発生率が高い伝送経路により生じるエラーの伝搬を制限しなくてはならない。
【０００６】
ＩＴＵ−Ｔ（国際電気通信連合―電気通信標準化部門）の勧告であるＨ．２６１とＨ．２６３、およびＩＳＯ／ＩＥＣ（国際標準化機構／国際電気標準会議）の規格であるＭＰＥＧ−１、ＭＰＥＧ―２およびＭＰＥＧ−４のような一般的なビデオ符号化の規格では、ビデオ信号の各フレームを、マクロブロックと呼ばれる１６Ｘ１６ピクセル領域に分割する。これらのブロックは、一行毎に左から右へ走査され符号化される。これらの一般的なビデオ規格は次の文献により詳細に記述されている
ＩＴＵ−Ｔ勧告  Ｈ．２６１（１９９３年）、ｐｘ６４kbit/sでのオーディオビジュアルサービスのためのビデオコーデック。(Video codec for audiovisual services at p x 64 kbit/s)
ＩＴＵ−Ｔ勧告  Ｈ．２６３（２００１年）、低ビット速度での通信のためのビデオコーデック。(Video codec for low bit rate communication)
ＩＴＵ−Ｔ勧告  Ｈ．２６Ｌ、テストモデルロングタームＮｏ．７。(Test Model Long Term Number 7)、 起草２００１年５月
ftp://standard.pictel.com/video-site/0104_Aus/VCEG-M81d0.doc.
ＩＳＯ／ＩＥＣ  １１１７２−２：１９９３年、インフォメーション・テクノロジー−約１．５Mbit/sまでのデジタル格納メディアのための動画およびそれに伴う音声の符号化−パート２：ビデオ（ＭＰＥＧ―１）。(Information technology − Coding of moving pictures and associated audio for digital storage media at up to about 1.5 Mbit/s − Part 2: Video (MPEG-1))
ＩＳＯ／ＩＥＣ  １３８１８−２：２０００年、インフォメーション・テクノロジー−動画およびそれに伴う音声情報の包括的な符号化：ビデオ（ＭＰＥＧ−２）。(Information technology − Generic coding of moving pictures and associated audio information: Video (MPEG-2))
ＩＳＯ／ＩＥＣ  １４４９６−２：２００１年、インフォメーション・テクノロジー−視聴覚オブジェクトの符号化−パート２：映像（ＭＰＥＧ−４）。(Information technology − Coding for audio-visual objects − Part 2: Visual (MPEG-4))
【０００７】
マクロブロックの符号化プロセスの第１段階は、以前に符号化されたマクロブロックに基づいて予測をすることである。それぞれイントラ符号化およびインター符号化として知られている２つのタイプの符号化を区別することが重要である。イントラ符号化（静止画像符号化に類似）は直前のピクチャに基づいていない。一方、インター符号化は直前の１つ以上のピクチャからの予測に基づき、そして動き補償がなされている。イントラ符号化は、隣接する領域からの、変換係数およびピクセルレベルの予測を含む空間予測を用いることができる。ピクセルレベルの予測をする場合、符号化器および復号器の両方で同じ情報が確実に得られるように、予測は再構成された（符号化および復号化された）ブロックに基づく。
イントラ符号化に関して、３つの場合、つまり予測が用いられない場合、予測が他のイントラ符号化された領域のみに基づく場合、または予測がイントラ符号化された領域とインター符号化された領域に基づく場合、について考慮することが有益である。
【０００８】
ケース１―予測なしのイントラ符号化
ＩＴＵ−Ｔの勧告Ｈ．２６１およびＩＴＵ−Ｔの勧告Ｈ．２６３の基本的見解において、イントラ符号化されたマクロブロックは、独立形式の静止画像で、周りのマクロブロックからの予測には依存しない。したがって、イントラ符号化されたマクロブロックは切替に適している。
【０００９】
ケース２―イントラ符号化された領域からの予測によるイントラ符号化
ＩＴＵ−Ｔの勧告Ｈ．２６３（付録Ｉ）およびＩＳＯ／ＩＥＣビデオ規格であるＭＰＥＧ−１、ＭＰＥＧ−２、ＭＰＥＧ−４では、イントラ符号化されたマクロブロックが予測され、そして予測は上述のおよび/または以前に符号されたマクロブロックの変換係数に適用される。さらに、動き補償された（したがってインター符号化された）マクロブロックはイントラ符号化に関連する係数を有しないので、イントラ符号化されたこれらのマクロブロックのみが符号化に貢献している。
【００１０】
ケース３―イントラ符号化および/またはインター符号化された領域からの予測によるイントラ符号化
次回のＩＴＵ−Ｔ規格（現在Ｈ．２６Ｌとして知られている）の、現在進行中の起案では、他のタイプのイントラ符号化マクロブロックが用いられている。予測はピクセルレベルで行われ、それは隣接する動き補償された（すなわちインター符号化された）マクロブロックもまたイントラ符号化マクロブロックの予測に用いることができることを意味する。
【００１１】
上述のケース３のような、隣接する、または近接する動き補償されたマクロブロックから予測されたイントラ符号化マクロブロックは、過去のピクチャに依存するので、正しく切替を提供するためにそのままで用いることはできない。したがって、過去のフレームの損傷した領域は、イントラ符号化マクロブロックにも伝わる可能性が高い。この問題は、ケース２に述べたように、他の隣接するイントラ符号化マクロブロックからのみ、イントラ符号化マクロブロックを予測することにより避けることができる。しかし、そのような解決方法はよりコストがかかり、より多くのビット数が必要で、したがって符号化にとって不利益となる。
【発明の開示】
【課題を解決するための手段】
【００１２】
本発明では、利用可能な少なくとも２つのタイプのイントラ符号化予測からユーザが１つを選択できるようにすることにより、従来の技術の問題点を克服するものである。したがって、本発明はいわゆるイントラ符号化マクロブロックのための予測に関する。隣接するイントラ符号化マクロブロックとインター符号化マクロブロックの両方から、イントラ符号化マクロブロックのための予測をできるようにすると（ここでは完全予測と呼ぶ）、さらにデータを圧縮できる。しかし、イントラ符号化マクロブロックを時間的切替として用いることを確実に可能にするためには、それらの予測を、他のイントラ符号化マクロブロックのみに限定するか、または他のイントラ符号化マクロブロックのみに基づいて行わなくてはならない（ここでは限定予測と呼ぶ）。これは動き補償による過去の画像への間接的な関連をすべて回避する。
【００１３】
完全予測を使用するかまたは限定予測を使用するか選択できるようにすることにより、高いエラー耐性が要求されているとき限定予測を選択することができる。一方、エラー耐性が主要な問題でないときは、高い圧縮率を達成し符号化にとって不必要な不利益を避けるために完全予測を選択することができる。（そのようなタイプの）選択は、ビット流内に直接的に信号化されていてもよいし、または間接的に示してもよい。
【００１４】
本発明の１つの実施方法は、ビデオフレームをフレームシーケンスに選択的に分割することにより生じた複数のブロック内に含まれる個々のブロックに使用するためのビデオデータ圧縮の方法であり、該ブロックは、イントラ符号化されたブロックおよびインター符号化されたブロックの両方を含む、以前に符号化された複数のブロックに隣接している。該方法は完全予測と限定予測を含むセットから、予測のタイプを選択する段階を含み、上述のように、完全予測タイプは１つ以上の隣接するイントラ符号化ブロックと１つ以上の隣接するインター符号化ブロックを使用することができる。しかし、限定予測タイプは１つ以上の隣接するイントラ符号化ブロックしか使用できない。該方法はさらに、該ブロックの符号化において、該ブロックに相当するデータビット流を提供するために、選択した予測タイプを使用することを含む。該ブロックに関連するデータを復元するために配設された復号器に選択した予測タイプを示唆するために、信号がビット流と共に提供される。上述したように、予測タイプは、ビット流内の信号で直接的に示しても、または符号化ツールまたはパラメータの使用により間接的に示してもよい。
【発明を実施するための最良の形態】
【００１５】
図１には、ビデオカメラのようなビデオ情報の供給源１０が示されている。連続するビデオフレームを備える情報は、ビデオ符号化器または圧縮器１２に連結しており、そこでデータの連続フレームは、ここに述べるような本発明の実施方法によって圧縮される。圧縮されたデータに相当するビット流は、無線伝達経路でもよい伝達経路２２を通して、送信器１４から受信器１６へと伝送される。受信されたデータは復号器１８に入り、ビデオ情報が再生される。
【００１６】
図２には、１ビデオフレームシーケンス（図示しない）の１フレームを分割することにより生じた、１６Ｘ１６ピクセルのマクロブロック２０を処理するための圧縮器１２の、従来の特定の構成要素を示している。図２に示した構成要素は、変換、すなわち離散フーリエ変換モジュール２４、量子化器２６、そして二進符号化器２８を含む。動き検出および動き補償モジュール等のビデオ圧縮器のその他の従来の構成要素は、単純化のために図２に示していない。
【００１７】
当業者に知られているように、変換モジュール２４は、マクロブロック２０のピクセルのグレースケールおよび色レベルを含む一連の整数を受信する。モジュール２４では、ピクセルレベルを変換して一連の変換係数の出力を生成する。同様に周知であるように、量子化器２６は各変換係数を対応する間隔値または量子化レベルで割る。量子化器２６の出力は二進符号化器２８に入り、対応するビット流３０が生成され、経路２２を介して伝送される。
【００１８】
図３には、フレームシーケンス、または連続するフレームの、１ビデオフレームの一部分３２が示されており、それは上述した規格の１つに従って１６Ｘ１６ピクセルのマクロブロックに分けられている。さらに詳細には、図３はマクロブロック２０を示しており、さらに、それぞれマクロブロック２０に隣接し、マクロブロック２０より以前に符号化されるマクロブロック３４ａ−ｂおよび３６ａ−ｂを示している。さらに、それぞれ上述の定義に従うと、マクロブロック３４ａ−ｂはイントラ符号化マクロブロックであり、マクロブロック３６ａ−ｂはインター符号化マクロブロックである。すなわち、イントラ符号化マクロブロック３４ａ−ｂは、同じピクチャの隣接領域からの空間予測のみを用いて符号化されているか、そうでなければ周りのマクロブロックからのいかなる予測にも依存しない独立する静止画像である。一方、インター符号化マクロブロック３６ａ−ｂは、直前の１つ以上のフレームの領域からの予測に基づいており、動き補償されたものでよい。
【００１９】
マクロブロック２０はイントラ符号化される。すなわち、図３でマクロブロック３４ａ−ｂおよび３６ａ−ｂで表されている、同じフレーム内の以前に符号化された隣接するマクロブロックからの空間予測のみを用いて符号化される。しかし、本発明では、マクロブロック２０の符号化プロセスは、本明細書ではそれぞれ完全予測と限定予測と呼ぶ２つのタイプの空間予測の何れかを用いることができる。完全予測タイプでは、マクロブロック２０を符号化するための予測は、イントラ符号化マクロブロック３４ａ−ｂおよびインター符号化マクロブロック３６ａ−ｂの両方を含む、任意のまたは全ての以前に符号化された隣接するマクロブロックに基づいていてよい。限定予測タイプでは、予測はマクロブロック３４ａ−ｂのような隣接するイントラ符号化マクロブロックにのみ基づく。
【００２０】
完全予測または限定予測の選択は、ビット流内で予測の範囲を直接的に示すことにより、または符号化ツールまたは他のパラメータといった手段により間接的に、非常に簡単に行うことができる。そのような信号の複数の選択肢ついて以下に詳しく述べる。信号が経路２２の復号側で検出されると、復号器１８は、マクロブロック３４ａ−ｂおよび/または３６ａ−ｂのような同じピクチャ内で既に符号化／復号化された隣接するマクロブロックから、マクロブロック２０を空間的に予測する。信号に従って、空間的な予測は上述したような完全予測または限定予測で、マクロブロック２０の元のビデオデータを復号器で復元できる。
したがって、本発明の実施方法はビデオ符号化規格を最適化するために用いることができる。例えば、完全予測符号化は最良の符号化効率を達成する際に選択し、一方限定予測はエラー耐性が重要な問題であるとき、エラーが発生しがちな環境を介した伝送に選択するとよい。
【００２１】
本発明による１つの実施方法において、完全および限定イントラ符号化予測の選択は、マクロブロック毎にビット流に挿入されたコードワードにより直接的に示される。これは、ビット流３０内に挿入された０１０のようなコードワード３８を示す図２に図示されてている。さらに詳細には、コードワード３８は、マクロブロック２０のような、イントラ符号化マクロブロックのヘッダに挿入されており、空間予測が完全予測か限定予測かを直接的に復号器に示唆する信号を備える。
【００２２】
図４には、本発明による他の実施方法が示されており、符号化後のイントラ符号化マクロブロック２０は他の複数の符号化されたマクロブロックとグループ化されてスライスまたはセグメント４４になっている。セグメント４４は、画像部分を備え、そして直前の符号化されたマクロブロックセグメント４０とは境界４２で分離している。図４にはヘッダ４６を伴うセグメント４４がさらに示されており、該ヘッダはセグメント４４内のイントラ符号化された全マクロブロックに完全予測または部分予測の何れを用いるべきかを示す直接的な情報を含んでいる。
【００２３】
図４に示した実施方法の変形例では、ピクチャ全体のヘッダは、該ピクチャ内のイントラ符号化されたマクロブロックのすべてについて、完全予測または部分予測の何れを用いるべきかを直接的に示す。他の変形例では、ビデオフレームのシーケンスのヘッダが、該シーケンス内のイントラ符号化されたマクロブロックのすべてについて、完全予測または部分予測の何れを用いるべきかを直接的に示す。
図４に関連する他の変形例では、完全予測または限定予測を示す１つの信号が、境界４２のようなセグメントの境界、または異なるビデオパケット間の境界を越えて、ブロックの複数のグループに適用される。
【００２４】
本発明の他の実施方法では、完全予測か限定予測かの選択は、連続するマクロブロックの符号化および／または伝送に伴って選択された変数により、間接的に示される。すなわち、復号器で検出可能な、選択された符号化変数の異なる値または特徴を、それぞれ完全予測か限定予測かのタイプを示すために用いる。そのような符号化変数は、シーケンス、あるいはそれに用いられているプロファイルおよび/またはレベルを符号化するために使用される任意の符号化ツールの１つを含んでいてよい。例えば、量子化器の間隔値のような、符号化パラメータのレベルは、完全予測か限定予測かのタイプをそれぞれ示す２つの異なる値を有してよい。
他の変形例では、選択された予測は輝度および彩度の両方のピクセルレベルに適用でき、また輝度と彩度の係数の伝送に適用できる。
本発明に他の多くの変形例および応用例が可能であることは上述の説明から明らかである。従って本発明は、開示した概念の範囲内で、具体的に記述した実施方法以外の方法でも実施できる。
【図面の簡単な説明】
【００２５】
【図１】本発明の実施形態による、ビデオ情報の圧縮、伝送、および復号を行う単純化したシステムの概略図である。
【図２】図１で示したシステムの、圧縮を行う特定の構成要素を示すブロック図である。
【図３】イントラ符号化マクロブロックを、他のイントラ符号化マクロブロックおよびインター符号化マクロブロックと共に示す概略図である。
【図４】本発明の他の実施方法を説明するための、複数のイントラ符号化マクロブロックを備る２つのセグメントを示す概略図である。
【図１】
2004527981.tif 000003
【図２】
2004527981.tif 000004
【図３】
2004527981.tif 000005
【図４】
2004527981.tif 000006
【国際公開パンフレット】
2004527981.tif 000007
2004527981.tif 000008
2004527981.tif 000009
2004527981.tif 000010
2004527981.tif 000011
2004527981.tif 000012
2004527981.tif 000013
2004527981.tif 000014
2004527981.tif 000015
2004527981.tif 000016
2004527981.tif 000017
2004527981.tif 000018
【手続補正書】
【提出日】平成15年6月19日(2003.6.19)
【手続補正１】
【補正対象書類名】特許請求の範囲
【補正対象項目名】全文
【補正方法】変更
【補正の内容】
【特許請求の範囲】
【請求項１】
ビデオフレームをフレームシーケンスに選択的に分割することにより生じた複数のブロック内に含まれる１ブロックについて使用するビデオデータ圧縮の方法であって、該ブロックは、イントラ符号化およびインター符号化を含む、以前に符号化された複数のブロックに隣接しており、
１つ以上の隣接するイントラ符号化ブロックと１つ以上の隣接するインター符号化ブロックの両方に基づく完全予測タイプと、１つ以上の隣接するイントラ符号化ブロックのみに基づく限定予測タイプとを含むセットから、イントラ符号化予測タイプを選択する段階と、
該ブロックに相当するビット流を生成するために、該ブロックの符号化に前記選択されたイントラ符号化予測タイプを使用する段階と、
該ブロックのデータを復元するために配設された復号器に、前記選択されたイントラ符号化予測タイプを示唆するために、ビット流と共に信号を提供する段階と
を含む方法。
【請求項２】
前記選択されたイントラ符号化予測タイプを、ビット流内のコードワードにより直接的に示す請求項１に記載の方法。
【請求項３】
前記イントラ符号化予測タイプを、マクロブロックのビット流内のコードワードにより直接的に示す請求項１に記載の方法。
【請求項４】
前記ブロックを他の複数のブロックと共にグループ化し、前記選択されたイントラ符号化予測タイプを該ブロックのグループのビット流内のコードワードにより直接的に示す請求項１に記載の方法。
【請求項５】
前記選択されたイントラ符号化予測タイプを、該ブロックを含むフレームのビット流内のコードワードにより直接的に示す請求項１に記載の方法。
【請求項６】
前記選択されたイントラ符号化予測タイプを、前記フレームシーケンスのビット流内のコードワードにより直接的に示す請求項１に記載の方法。
【請求項７】
前記選択されたイントラ符号化予測タイプを、選択した符号化変数の値により間接的に示す請求項１に記載の方法。
【請求項８】
前記選択されたイントラ符号化予測タイプを、量子化器の量子化レベルにより間接的に示す請求項１に記載の方法。
【請求項９】
前記イントラ符号化予測タイプを輝度および彩度のピクセルレベルに適用する請求項１に記載の方法。
【請求項１０】
前記イントラ符号化予測タイプを輝度および彩度の変換係数に適用する請求項１に記載の方法。
【請求項１１】
前記イントラ符号化予測はセグメントの境界を越えて行われる請求項１に記載の方法。
【請求項１２】
前記イントラ符号化予測は前記ブロックを含むセグメント内でのみ行われる請求項１に記載の方法。
【請求項１３】
前記ブロックは１６Ｘ１６のマクロブロックを含む請求項１に記載の方法。
【請求項１４】
前記選択されたイントラ符号化予測タイプを、任意の符号化ツールの選択により間接的に示す請求項１に記載の方法。
【請求項１５】
前記選択されたイントラ符号化予測タイプを、プロファイルおよび/またはレベルの選択により間接的に示す請求項１に記載の方法。補正箇所を下線で示した。
【国際調査報告】
2004527981.tif 000019
2004527981.tif 000020
2004527981.tif 000021